(57)【特許請求の範囲】
【請求項１】
主電源および補助電源と接続され、前記主電源からの直流電力を交流電力に変換するための電力変換手段と、
前記電力変換手段を制御するための制御手段と、
前記制御手段と、前記主電源または前記補助電源とを電気的に接続するための切替手段と、
前記制御手段から、前記制御手段の電力源が切替えられたことを示す信号が与えられるリセット信号発生手段とを、備え、
前記制御手段は、
前記電力源として前記補助電源を選択するよう前記切替手段に指示してから、第２の時間が経過したときに、前記制御手段の電力源として前記主電源を選択するよう前記切替手段に指示し、
前記リセット信号発生手段は、
前記電力源として前記補助電源が選択されてから前記第２の時間が経過した後に前記制御手段から電力源が切替えられたことを示す信号が与えられずに、前記第２の時間よりも長い第１の時間が経過した場合に、リセット信号を発生して前記制御手段に出力する、電力変換装置。
【請求項２】
前記制御手段は、前記切替手段に対して切替信号を出力し、
前記切替えられたことを示す信号は、前記切替信号である、請求項１に記載の電力変換装置。
【請求項３】
不揮発性の記憶手段をさらに備え、
前記制御手段は、前記記憶手段に運転ログ情報を記録する際に、前記電力源を前記主電源から前記補助電源に切替え、
前記第２の時間は、前記運転ログ情報を記録するために要する時間を含む、請求項１または２に記載の電力変換装置。
【請求項４】
前記リセット信号発生手段は、オープンドレインインバータと、電気抵抗と、コンデンサと、インバータとを含む遅延回路である、請求項１〜３のいずれかに記載の電力変換装置。
【請求項５】
前記リセット信号発生手段は、一定周期の信号を入力し、所定ビットをカウントするカウンタと、インバータとを含むカウンタ回路である、請求項１〜３のいずれかに記載の電力変換装置。
【請求項６】
前記主電源は、太陽電池であり、
前記補助電源は、商用電源である、請求項１〜５のいずれかに記載の電力変換装置。
【発明の詳細な説明】
【技術分野】
【０００１】
本発明は、電力変換装置に関し、特に、太陽光発電システムや風力発電システムなどによる不安定な電力を変換するための電力変換装置に関する。
【背景技術】
【０００２】
火力発電や自動車、工場などにより放出されるＣＯ２により地球温暖化が進んでいる現在、ＣＯ２を排出しないクリーンエネルギーとして太陽光発電や風力発電が注目されている。
【０００３】
太陽光発電システムや風力発電システムなどの不安定な発電装置による電力を変換するための電力変換装置は、そのシステムの制御にも太陽光や風力によって発電された電力を利用する。
【０００４】
そして、たとえば不揮発性メモリに運転ログ情報を記録する間など、特定の場合にのみ商用電力系統（商用電源）などの安定した電源を利用する。電力が急激に低下することにより、記録データが異常になることを避けるためである。
【０００５】
商用電源などの安定した電源を利用する場合には、制御部（制御）から電源を切り替える信号を電源切替部に送り、電源の切替えを行なう。
【０００６】
一方、電力変換装置の制御部は、大きなｋＷオーダーの電力を変換するために発生するスイッチングノイズ、落雷による雷サージ、瞬時電圧低下などにより暴走する可能性がある。
【０００７】
制御部を必要とするシステムが一般的に使用されており、それに合せて制御部の暴走復帰方法が多数提案されている（例えば、特許文献１）。特許文献１では、ある一定の時限を持つパルス発生装置が使用され、定期的にマイクロコンピュータから時限を初期化するための信号がパルス発生装置に送られる。正常な状態ではパルス発生装置からパルス信号は出力されない。しかし、マイクロコンピュータが暴走すると時限を初期化するための信号が送られなくなりパルス信号が出力される。このパルス信号がマイクロコンピュータのリセット信号に接続されており、マイクロコンピュータがリセットされ復帰する。
【０００８】
このように、従来の暴走復帰方法によれば、通常、暴走が発生しても正常な状態に回復させることが可能となる。
【特許文献１】特開平７−２７１４７６号公報
【発明の開示】
【発明が解決しようとする課題】
【０００９】
しかしながら、従来の暴走復帰方法では、制御部から定期的に信号を出力させる必要がある。一般的にそのような処理はソフトウェアで行うため、ソフトウェア処理への負荷が大きくなるとともに、プログラムをより複雑にする。
【００１０】
また、定期的な信号を出力させるシーケンスで無限ループに入った場合は、復帰できない。
【００１１】
本発明は、上記のような問題を解決するためになされたものであって、その目的は、処理負荷を増大させることなく、不安定な発電電力を変換する電力変換装置の暴走を確実に復帰させることのできる電力変換装置を提供することである。
【課題を解決するための手段】
【００１２】
この発明のある局面に従う電力変換装置は、主電源および補助電源と接続され、主電源からの直流電力を交流電力に変換するための電力変換手段と、電力変換手段を制御するための制御手段と、制御手段と主電源または補助電源とを電気的に接続するための切替手段と、制御手段から、制御手段の電力源が切替えられたことを示す信号を入力し、電力源として補助電源が選択されてから所定の第１の時間経過した場合に、リセット信号を発生して制御手段に出力するための発生手段とを備える。
【００１３】
好ましくは、制御手段は、電力源として補助電源を選択するよう切替手段に指示してから、第１の時間よりも短い第２の時間が経過した場合に、電力源として主電源を選択するよう切替手段に指示する。
【００１４】
好ましくは、制御手段は、切替手段に対して切替信号を出力し、切替えられたことを示す信号は、切替信号である。
【００１５】
好ましくは、不揮発性の記憶手段をさらに備え、制御手段は、記憶手段に運転ログ情報を記録する際に、電力源を主電源から補助電源に切替え、第２の時間は、運転ログ情報を記録するために要する時間を含む。
【００１６】
好ましくは、発生手段は、オープンドレインインバータと、電気抵抗と、コンデンサと、インバータとを含む遅延回路である。
【００１７】
好ましくは、発生手段は、一定周期の信号を入力し、所定ビットをカウントするカウンタと、インバータとを含むカウンタ回路である。
【００１８】
好ましくは、主電源は、太陽電池であり、補助電源は、商用電源である。
【発明の効果】
【００１９】
本発明によると、補助電源が選択されてから所定時間が経過した場合にのみリセット信号が制御部に出力される。したがって、制御部の処理負荷を増大させることなく、制御部の暴走を確実に復帰させることができる。
【発明を実施するための最良の形態】
【００２０】
本発明の実施の形態について図面を参照しながら詳細に説明する。なお、図中同一または相当部分には同一符号を付してその説明は繰返さない。
【００２１】
本実施の形態に係る電力変換装置は、太陽光発電システムや風力発電システムなどの不安定な発電装置による直流電力を交流電力に変換する。
【００２２】
本実施の形態に係る電力変換装置の詳細な説明に先立ち、太陽光発電システムで用いられる一般的な電力変換装置の構成について説明する。
【００２３】
図１１は、太陽光発電システムに用いられる一般的な電力変換装置１００の構成例を示す図である。
【００２４】
図１１を参照して、一般的な電力変換装置１００は、太陽電池ストリング２１０ａ，２１０ｂ，２１０ｃにより発電された直流電力を入力し、入力した直流電力を交流電力に変換する。変換された交流電力は、商用電源２１１に出力される。太陽電池ストリング２１０ａ，２１０ｂ，２１０ｃは、各々、太陽光を受光して発電する複数の太陽電池モジュールを直列に接続することにより構成されている。
【００２５】
電力変換装置１００は、直流電力を交流電力に変換するための電力変換部１１０と、商用電源２１１に接続された開閉器１１１と、電力変換部１１０および開閉器１１１を制御するための制御部１１２とを備える。電力変換部１１０は、太陽電池ストリング２１０ａ，２１０ｂ，２１０ｃそれぞれに対応するＤＣ（Direct Current）／ＤＣコンバータ１２１ａ，１２１ｂ，１２１ｃと、ＤＣ／ＡＣ（Alternating Current）インバータ１２２とを含む。
【００２６】
図１１の太陽光発電システムにおいて、いずれかの太陽電池ストリング２１０ａ，２１０ｂ，２１０ｃが発電を始める。制御部１１２がそれを検出すると、電力変換部１１０を起動するとともに、開閉器１１１を導通状態にする。これにより、電力変換部１１０と開閉器１１１とが接続される。
【００２７】
このような電力変換装置１００において、制御部１１２は、通常、その電力源を不安定な電力である太陽電池ストリング２１０ａ，２１０ｂ，２１０ｃが発電する電力としている。また、制御部１１２は、たとえば運転ログ情報を不揮発性メモリ（図示せず）に記録する場合など、商用電源２１１を電力源とすることもできる。これにより、制御部１１２は、安定的に、運転ログ情報を記録することが可能となる。本実施の形態において、通常、制御部１１２の電力源である不安定な電力を「主電源」といい、特定の場合など補助的に制御部１１２の電力源となる安定的な電力を「補助電源」という。
【００２８】
ところで、制御部１１２は、スイッチングノイズ、落雷による雷サージ、瞬時電圧低下などにより暴走する場合がある。主電源電力を利用している状態で暴走した場合は、いずれ電力が低下するためリセットが掛かり自動的に復帰する。特に太陽光発電システムの場合は、夜間に発電電力がなくなる。したがって、暴走から復帰させるための回路やプログラムを、原価を上げてまで設置する必要性は低い。
【００２９】
しかし、商用電源２１１などの安定した補助電源を利用している状態で、制御部が暴走すると、復帰する機会がなく暴走した状態が継続してしまう。したがって、補助電源を利用する電力変換装置においては、暴走から復帰させるための手段が必要である。
【００３０】
そこで、本実施の形態における電力変換装置は、制御部に対してリセット信号を出力可能なリセット信号発生部を備える。
【００３１】
［実施の形態１］
＜構成について＞
はじめに、本発明の実施の形態１に係る電力変換装置１の構成について説明する。
【００３２】
図１は、本発明の実施の形態１に従う電力変換装置１の構成を示す図である。
図１を参照して、電力変換装置１は、電力変換部１０と、制御部１２と、制御電源切替部１３と、主電源電力変換部１４と、補助電源電力変換部１５と、リセット信号発生部１６と、不揮発性メモリ１７とを備える。
【００３３】
制御部１２は、たとえばＣＰＵ（Central Processing Unit）により構成され、電力変換部１０、制御電源切替部１３、リセット信号発生部１６と、不揮発性メモリ１７と接続されている。主電源電力変換部１４は、太陽電池ストリング２１０および制御電源切替部１３と接続される。補助電源電力変換部１５は、商用電源２１１および制御電源切替部１３と接続される。
【００３４】
電力変換部１０は、入力端子（図示せず）側に、太陽電池ストリング２１０と接続され、出力端子（図示せず）側には、商用電源２１１が接続される。電力変換部１０は、太陽電池ストリング２１０が発電する電力を交流電力に変換し、商用電源２１１に出力する。なお、図１では、説明の簡単のために、１つの太陽電池ストリング２１０のみが示されているが、複数の太陽電池ストリングが設けられていてもよい。
【００３５】
電力変換部１０は、太陽電池ストリング２１０が発電した電力を安定した直流電力に変換する複数のＤＣ／ＤＣコンバータ２１と、ＤＣ／ＤＣコンバータ２１の出力電力を交流電力に変換するＤＣ／ＡＣインバータ２２とを含む。ＤＣ／ＤＣコンバータ２１は、太陽電池ストリング２１０の発電電力を最大限に利用するため、最大電力点追従制御を行なう。なお、ＤＣ／ＤＣコンバータ２１は、太陽電池ストリング２１０ごとに設けられるものとする。また、ＤＣ／ＡＣインバータ２２は、トランジスタのゲート電位が制御部１２によって制御されることにより、ＤＣ／ＡＣ変換が行なわれるものとするが、ここでは、結線は省略している。
【００３６】
制御部１２は、電力変換部１０に信号線３１を介して制御信号を送信し、電力変換部１０を制御する。
【００３７】
主電源電力変換部１４は、太陽電池ストリング２１０からの電力を、制御部１２が必要とする電力に変換する。補助電源電力変換部１５は、商用電源２１１からの電力を制御部１２が必要とする電力に変換する。
【００３８】
不揮発性メモリ１７は、制御部１２が実行する各種プログラムが予め記録されている。また、不揮発性メモリ１７は、運転ログ情報を記憶するための領域を有している。
【００３９】
制御部１２と制御電源切替部１３とは、切替信号線３２で接続されている。
制御部１２の電源として主電源電力変換部１４を選択する場合、制御部１２は、切替信号線３２を介して、制御電源切替部１３に切替信号“Ｈ（Ｈｉｇｈ）”を送信する。制御電源切替部１３は切替信号“Ｈ”を受信すると、接点２３を選択する。接点２３は、主電源電力変換部１４と接続されている。したがって、制御部１２の電源として、主電源電力変換部１４の出力電力が選択される。以降、この状態を「主電源選択状態」という。また、切替信号“Ｈ”を、「主電源選択信号」ともいう。
【００４０】
他方、制御部１２が、切替信号線３２を介して、制御電源切替部１３に切替信号“Ｌ（Ｌｏｗ）”を送信すると、制御電源切替部１３は、接点２４を選択する。接点２４は、補助電源電力変換部１５と接続されている。したがって、制御部１２の電源として、補助電源電力変換部１５の出力電力が選択される。以降、この状態を「補助電源選択状態」という。また、切替信号“Ｌ”を、「補助電源選択信号」ともいう。
【００４１】
上記切替信号線３２は分岐されており、リセット信号発生部１６にも接続される。
リセット信号発生部１６と制御部１２とは、信号線３３によっても接続されている。リセット信号発生部１６は、所定の信号が入力されてから所定時間経過すると、リセット信号を発生する。リセット信号は、信号線３３を介して制御部１２に入力される。これにより、制御部１２はリセットされる。
【００４２】
本実施の形態では、リセット信号発生部１６として、ＣＲ遅延回路１６Ａが用いられる。
【００４３】
図２は、本発明の実施の形態１におけるリセット信号発生部１６として採用されるＣＲ遅延回路１６Ａの構成例を示す図である。
【００４４】
図２を参照して、ＣＲ遅延回路１６Ａは、オープンドレインインバータ３０１と、電気抵抗３０２と、コンデンサ３０３と、インバータ３０４とによって構成される。
【００４５】
ＣＲ遅延回路１６Ａのオープンドレインインバータ３０１に切替信号“Ｈ”（主電源選択信号）が入力されると、オープンドレインインバータ３０１の出力は“Ｌ”となり、インバータ３０４の出力は“Ｈ”となる。したがって、ＣＲ遅延回路１６Ａから信号線３３を介して“Ｈ”信号が制御部１２に出力される。制御部１２に、“Ｈ”信号が入力されると、リセットされることなく通常の制御が継続される。
【００４６】
この状態からＣＲ遅延回路１６Ａの入力信号（切替信号）が“Ｌ”（補助電源選択信号）になると、オープンドレインインバータ３０１の出力は開放となる。そうすると、電気抵抗３０２を介してコンデンサ３０３が充電される。充電された電圧がインバータ３０４の閾値電圧を越えると、インバータ３０４の出力は“Ｌ”になる。したがって、ＣＲ遅延回路１６Ａから“Ｌ”信号が制御部１２に出力される。制御部１２に“Ｌ”信号、すなわちリセット信号が入力されると、制御部１２はリセットされる。
【００４７】
ＣＲ遅延回路１６Ａの入力信号が“Ｈ”から“Ｌ”に変化してから、インバータ３０４の出力が“Ｈ”から“Ｌ”に変化するまでの遅延時間（つまり、ＣＲ遅延回路１６Ａの遅延時間）は、主に、電気抵抗３０２と、コンデンサ３０３の定数で定められる。遅延時間は、運転ログ情報を記録するのに十分な時間となるよう予め設定される。具体的には、運転ログ記録のために要する時間がたとえば２０ｍｓであるとすると、遅延時間としてたとえば３０ｍｓが設定される。
【００４８】
＜動作について＞
次に、本実施の形態に係る電力変換装置１の動作について説明する。
【００４９】
図３は、本発明の実施の形態１に係る電力変換装置１の制御部１２が、運転ログ情報を記録する際に実行される処理（以下、「運転ログ記録処理」ともいう）を示すフローチャートである。なお、図３のフローチャートに示す処理は、予めプログラムとして不揮発性メモリ１７に格納されており、制御部１２がこのプログラムを読み出して実行することにより、運転ログ記録処理の機能が実現される。運転ログ記録処理は、主電源選択状態であって通常運転が行なわれている際に、定期的に、実行されるものとする。
【００５０】
図３を参照して、制御部１２は、太陽電池ストリング２１０の出力電力が、所定の閾値以下であるか否かを判断する（ステップＳ２）。通常、太陽電池ストリング２１０の出力電圧は２００Ｖ程度ある。それが低下してきたことを判断するために、所定の閾値は、２００Ｖより低い電圧であって、かつ、記録処理を完了可能な電圧が必要となる。したがって、ここでは、閾値をたとえば１００Ｖとしている。
【００５１】
太陽電池ストリング２１０の出力電圧が１００Ｖを越えていれば（ステップＳ２においてＮＯ）、この処理は終了し、通常運転が続けられる。
【００５２】
一方、太陽電池ストリング２１０の出力電圧が１００Ｖ以下と判断された場合（ステップＳ２においてＹＥＳ）、運転ログ情報を記録する必要があるため、制御電源切替部１３に対して切替信号“Ｌ”を送信する（ステップＳ４）。これにより、補助電源選択状態とされ、制御部１２には安定的に電力が供給される。なお、この際に、制御部１２は通常運転（電力変換）を中止するものとする。
【００５３】
続いて、制御部１２は、不揮発性メモリ１７に運転ログ情報を記録する（ステップＳ６）。これには２０ｍｓの時間が必要である。
【００５４】
記録が終了すると、制御部１２は、制御電源切替部１３に対して、切替信号“Ｈ”を送信する（ステップＳ８）。これにより、補助電源選択状態から主電源選択状態に切り替わる。なお、切替信号を“Ｌ”に切替えてから、図示しないクロックにより所定時間（遅延時間３０ｍｓよりも長い時間）カウントされた場合に、切替信号を“Ｈ”に切替えてもよい。
【００５５】
ＣＲ遅延回路１６Ａの遅延時間は３０ｍｓに設定されている。したがって、制御部１２が正常であれば、制御部１２には、リセット信号が入力されない。
【００５６】
次に、制御部１２は、太陽電池ストリング２１０からの出力電圧が所定の閾値（たとえば１２０Ｖ）以上であるか否かを判断する（ステップＳ１０）。この閾値は、電力変換部１０の制御が可能と判断するための値である。
【００５７】
制御部１２は、待機状態のまま太陽電池ストリング２１０の出力電圧が１２０Ｖ以上になるまで待つ。
【００５８】
制御部１２が暴走した場合、ＣＲ遅延回路１６Ａは補助電源選択状態となってから３０ｍｓ後にリセット信号”Ｌ”を出力する。これにより、制御部１２は、暴走状態から復帰する。
【００５９】
なお、制御部１２は、リセット信号“Ｌ”を受付けると、周波数の同期をとりなおす処理等を実行し、通常の制御を再開する。
【００６０】
次に、上記処理が制御部１２により行なわれた場合のＣＲ遅延回路１６Ａの入出力信号の変化について説明する。
【００６１】
図４は、制御部１２が正常の場合における、ＣＲ遅延回路１６Ａの入出力信号の変化を示すタイミングチャートである。図４（ａ）は、ＣＲ遅延回路１６Ａの入力信号（切替信号）、図４（ｂ）は、ＣＲ遅延回路１６Ａ内のオープンドレインインバータ３０１の出力信号、図４（ｃ）は、ＣＲ遅延回路１６Ａの出力信号を示している。
【００６２】
図４を参照して、時刻ｔ０の時点では、通常運転されており、主電源選択状態であるものとする。その場合、ＣＲ遅延回路１６Ａの入力信号は、“Ｈ”であり、オープンドレインインバータ３０１の出力信号は“Ｌ”である。そのため、ＣＲ遅延回路１６Ａの出力信号は、“Ｈ”である。
【００６３】
その後、太陽電池ストリング２１０からの出力電圧が１００Ｖ以下になった時点ｔ１で、制御部１２により信号“Ｌ”が出力される。ＣＲ遅延回路１６Ａには、信号“Ｌ”が入力される。そうすると、オープンドレインインバータ３０１の出力は、開放となり、コンデンサ３０３が充電される。
【００６４】
時刻ｔ２〜ｔ３において、運転ログの記録が行なわれる。運転ログの記録が終わった時点ｔ４で、制御部１２は、切替信号“Ｈ”を出力する。
【００６５】
制御部１２が正常運転している場合、時刻ｔ４で、ＣＲ遅延回路１６Ａに切替信号“Ｈ”が入力される。したがって、オープンドレインインバータ３０１の出力が所定の閾値Ｖａを越える前に、オープンドレインインバータ３０１の出力は、“Ｌ”となる。
【００６６】
そのため、ＣＲ遅延回路１６Ａの出力は、時点ｔ４を越えても“Ｈ”のままであり、リセット信号“Ｌ”は出力されない。
【００６７】
図５は、制御部１２が暴走した場合における、ＣＲ遅延回路１６Ａの入出力信号の変化を示すタイミングチャートである。図５（ａ）〜（ｃ）は、それぞれ、図４（ａ）〜（ｃ）に対応している。
【００６８】
図５を参照して、時刻ｔ０〜ｔ３までは、図４と同様であるものとする。
運転ログの記録が終わった時点ｔ４で、制御部１２は、通常、切替信号を“Ｈ”に切替える。しかしながら、制御部１２が暴走している場合、切替信号は切替えられない。そのため、オープンドレインインバータ３０１の出力電圧は徐々に上昇し、所定の閾値Ｖａを越える。オープンドレインインバータ３０１の出力電圧が所定の閾値Ｖａを越えた時点ｔ５で、ＣＲ遅延回路１６Ａの出力は、“Ｈ”から“Ｌ”に切替えられる。ＣＲ遅延回路１６Ａからの“Ｌ”信号は、リセット信号として制御部１２に入力される。これにより、制御部１２はリセットされる。
【００６９】
このように、本実施の形態によると、運転ログ情報を記録する場合にのみ、制御部１２の暴走の有無を判断する。そのため、制御部１２の処理負荷を増大させることなく、制御部１２の暴走を確実に復帰させることができる。
【００７０】
また、電力変換装置１にリセット信号発生回路１６を追加するだけでよいので、コストの増大を抑えつつ、制御部１２の暴走を復帰させることができる。
【００７１】
さらに、主電源が太陽電池ストリング２１０であるので、１日に一度は主電源の発電が停止する。そのため、主電源選択状態で制御部１２が暴走した場合には、翌日には確実に復帰することができ、効率的である。
【００７２】
［実施の形態２］
次に、本発明の実施の形態２について説明する。
【００７３】
実施の形態２では、リセット信号発生部１６として、実施の形態１のＣＲ遅延回路１６Ａに代えて、カウンタ回路１６Ｂを用いる。その他の構成は、実施の形態１と同様であるので詳細な説明は繰返さない。
【００７４】
以下に、実施の形態１と異なる部分のみ説明する。
図６は、本発明の実施の形態２におけるリセット信号発生部１６として採用されるカウンタ回路１６Ｂの構成例を示す図である。
【００７５】
図６を参照して、カウンタ回路１６Ｂは、４ビットカウンタＩＣ（Integrated Circuit）５０１と、インバータ５０２とを備える。４ビットカウンタＩＣ５０１は、切替信号線３２と接続される。また、４ビットカウンタＩＣ５０１には、入力端子Ｄを介して、交流電力の周波数設定用信号が入力される。
【００７６】
本実施の形態においては、切替信号が“Ｌ”の場合は主電源選択状態、“Ｈ”の場合は補助電源選択状態となるように、制御電源切替部１３が設計されているものとする。
【００７７】
４ビットカウンタＩＣ５０１の入力には、交流電力の周波数設定用信号が利用される。周波数設定用信号は、系統電圧の周波数を検出するための信号であり、制御部１２などの周波数を監視する回路に入力されるものである。なお、制御部１２と４ビットカウンタＩＣ５０１との間に、さらに、図示しない信号線が設けられているものとする。
【００７８】
交流電力の周波数が６０Ｈｚの場合、周期が１６．６ｍｓである。そのため、３クロック以上カウントすると、不揮発性メモリ１７に記録する為に必要な２０ｍｓを越える。本実施の形態では、４ビットカウンタＩＣ５０１のキャリー信号（桁上げ信号）を、インバータ５０２を介して、リセット信号として利用する。なお、ここでは、４ビットカウンタＩＣ５０１を用いることとしたが、３ビット以上カウントするものであればこれに限定されるものではない。
【００７９】
４ビットカウンタＩＣ５０１が４ビットカウントすると、キャリー信号が出力端子Ｃを介してインバータ５０２に出力される。
【００８０】
図７は、本発明の実施の形態２に係る電力変換装置１の制御部１２が、運転ログ情報を記録する際に実行される処理（運転ログ記録処理）を示すフローチャートである。なお、本実施の形態では、実施の形態１において、主電源選択状態とするための切替信号と、補助電源選択状態とするための切替信号とが逆であるのみで、他の処理は同じである。したがって、それらについての説明は繰返さない。
【００８１】
制御部１２は、ステップＳ４およびＳ８それぞれに代えて、ステップＳ４ＡおよびＳ８Ａの処理を実行する。つまり、ステップＳ４Ａにおいて、切替信号を“Ｌ”に切替える。また、ステップＳ８Ａにおいて、切替信号を“Ｈ”に切替える。
【００８２】
図８は、制御部１２が正常の場合における、カウンタ回路１６Ｂの入出力信号の変化を示すタイミングチャートである。図８（ａ）は、カウンタ回路１６Ｂの入力信号（切替信号）、図８（ｂ）は、カウンタ回路１６Ｂ内の４ビットカウンタＩＣ５０１の端子Ｄに入力される周波数設定用信号を示している。また、図８（ｃ）は、４ビットカウンタＩＣ５０１の端子Ｑ０からの出力信号、図８（ｄ）は、４ビットカウンタＩＣ５０１の端子Ｑ１からの出力信号、図８（ｅ）は、４ビットカウンタＩＣ５０１の端子Ｑ２からの出力信号、図８（ｆ）は、４ビットカウンタＩＣ５０１の端子Ｑ３からの出力信号を示している。図８（ｇ）は、４ビットカウンタＩＣ５０１の端子Ｃからの出力信号、図８（ｈ）は、カウンタ回路１６Ｂの出力信号を示している。
【００８３】
図８（ｂ）に示されるように、４ビットカウンタＩＣ５０１の端子Ｄに入力される周波数設定用信号は、一定周期の信号である。なお、ここでは、周波数設定用信号を利用することとしたが、一定周期の信号であれば、これに限定されるものではない。たとえば、表示部（図示せず）との通信信号を利用してもよい。
【００８４】
図８を参照して、時刻ｔ０の時点では、通常運転されており、主電源選択状態であるものとする。その場合、図８（ａ）に示すように、切替信号線３２を介したカウンタ回路１６Ｂへの入力信号すなわち、４ビットカウンタＩＣ５０１の入力信号は、“Ｌ”である。その場合、４ビットカウンタＩＣ５０１は、リセットされており、カウント動作をしない。したがって、４ビットカウンタＩＣ５０１からの出力はいずれも“Ｌ”である。また、図８（ｈ）に示すように、リセット信号線３３を介したカウンタ回路１６Ｂからの出力信号すなわち、インバータ５０２からの出力信号は、“Ｈ”である。
【００８５】
その後、太陽電池ストリング２１０からの出力電圧が１００Ｖ以下になった時点ｔ１で、制御部１２により切替信号“Ｈ”が出力されると、図８（ａ）に示すように、カウンタ回路１６Ｂには、信号“Ｈ”が入力される。そうすると、４ビットカウンタＩＣ５０１がカウントを始める（図８（ｃ）〜（ｆ））。
【００８６】
時刻ｔ２〜ｔ３において、運転ログの記録が行なわれる。運転ログの記録が終わった時点ｔ４で、制御部１２は、切替信号を“Ｌ”に切替える。
【００８７】
制御部１２が正常運転している場合、時刻ｔ４で、カウンタ回路１６Ｂに信号“Ｌ”が入力される。そうすると、図８（ｆ）に示されるように、４ビットカウントされる前に、４ビットカウンタＩＣ５０１の端子Ｑ３の出力は、“Ｈ”から“Ｌ”に切り替わる。
【００８８】
したがって、図８（ｈ）に示されるように、カウンタ回路１６Ｂの出力は、時点ｔ４を越えても“Ｈ”のままであり、リセット信号“Ｌ”は出力されない。
【００８９】
図９は、制御部１２が暴走した場合における、カウンタ回路１６Ｂの入出力信号の変化を示すタイミングチャートである。図９（ａ）〜（ｈ）は、それぞれ、図８（ａ）〜（ｈ）に対応している。
【００９０】
図９を参照して、時刻ｔ０〜ｔ３までは、図８と同様であるものとする。
運転ログの記録が終わった時点ｔ４で、制御部１２は、通常、信号“Ｌ”を出力する。しかしながら、制御部１２が暴走している場合、信号“Ｌ”が出力されない。そのため、図９（ｆ），（ｇ）に示されるように、４ビットカウンタＩＣ５０１により４ビットカウントされ（２６６ｍｓ経過）、端子Ｃよりキャリー信号が出力される。４ビットカウンタＩＣ５０１の端子Ｃよりキャリー信号が出力された時点ｔ５で、インバータ５０２からの出力信号すなわち、カウンタ回路１６Ｂからの出力信号は、“Ｈ”から“Ｌ”に切替えられる。カウンタ回路１６Ｂからの信号“Ｌ”は、リセット信号として制御部１２に入力される。これにより、制御部１２はリセットされる。
【００９１】
以上のような構成とすることで、本実施の形態においても、実施の形態１と同様の効果を奏することができる。
【００９２】
（変形例）
上記実施の形態１，２では、リセット信号発生部１６は、制御部１２の暴走を検知する機能も果たしており、制御部１２が暴走した場合にのみリセット信号を出力することとした。しかしながら、制御部１２の暴走の有無にかかわらず、運転ログの記録が終わると、毎回リセットすることとしてもよい。
【００９３】
図１０は、本発明の実施の形態２の変形例における運転ログ記録処理を示すフローチャートである。なお、図１０のフローチャートに示す処理もまた、予めプログラムとして不揮発性メモリ１７に格納されており、制御部１２がこのプログラムを読み出して実行することにより、運転ログ記録処理の機能が実現される。なお、図７に示した実施の形態２における運転ログ記録処理と同じ処理については同じステップ番号を付してある。したがって、それらについての説明は繰返さない。
【００９４】
図１０を参照して、制御部１２は、実施の形態２と同様にステップＳ２〜Ｓ６の処理を実行する。変形例では、運転ログ情報の記録（ステップＳ６）が終わっても、制御部１２は、電源の切替えを行わず待機する（ステップＳ１２）。
【００９５】
制御電源切替部１３に対する切替信号が“Ｌ”から“Ｈ”に変化してから２６６ｍｓ経過後、カウンタ回路１６Ｂより、リセット信号が出力される。これにより、制御部１２はリセットされる（ステップＳ１４）。
【００９６】
なお、ここでは、実施の形態２のカウンタ回路１６Ｂを例に説明したが、実施の形態１のＣＲ遅延回路１６Ａにも適用できる。その場合、ステップＳ４Ａに代えて、ステップＳ４が実行されればよい。
【００９７】
上記各実施の形態および変形例では、制御部１２と制御電源切替部１３とが１本の線で接続されており、Ｈｉｇｈ信号とＬｏｗ信号とを切替えることにより、主電源選択状態と補助電源選択状態とを切替えることとした。そのため、制御部１２は、制御電源切替部１３に対し、Ｈｉｇｈ信号またはＬｏｗ信号を送信し続ける必要があった。しかしながら、制御部１２と主電源電力変換部１４とを接続する信号線と、制御部１２と補助電源電力変換部１５とを接続する信号線とを別に設けて、それぞれに導通／非導通を切替えるための切替部（たとえばスイッチ）を設けてもよい。その場合、制御部１２は、電力源を切替える場合にのみ、それぞれに対し、導通／非導通とを切替えるための信号を出力すればよい。なお、この場合も、制御部１２は、リセット信号発生部１６に対し、別途、上述のようなＨｉｇｈまたはＬｏｗ信号を送信する。
【００９８】
また、運転ログ情報は、主電源の電力が低下してきた場合に記録されることとして説明した。しかしながら、このようなタイミングに限定されるものではなく、何らかの状態が変化した場合や、定期的に（たとえば１秒ごとに）記録されてもよい。なお、いずれにしても、補助電源選択状態の場合に、運転ログ情報の記録が実行されるものとする。
【００９９】
あるいは、必ずしも運転ログ情報の記録のタイミングで、リセット信号を出力するものでなくても、補助電源が選択されている状態であればよい。
【０１００】
また、リセット信号発生回路１６は、必要な遅延時間経過するとパルスが発生するものであればよく、ＣＲ遅延回路１６Ａやカウンタ回路１６Ｂに限定するものではない。
【０１０１】
また、上記各実施の形態および変形例では、主電源が太陽光であることとして説明したが、風力などであってもよい。
【０１０２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０３】
【図１】本発明の実施の形態１に従う電力変換装置の構成を示す図である。
【図２】本発明の実施の形態１におけるリセット信号発生部として採用されるＣＲ遅延回路の構成例を示す図である。
【図３】本発明の実施の形態１に係る電力変換装置の制御部が、運転ログ情報を記録する際に実行される処理を示すフローチャートである。
【図４】制御部が正常の場合における、ＣＲ遅延回路の入出力信号の変化を示すタイミングチャートである。
【図５】制御部１２が暴走した場合における、ＣＲ遅延回路の入出力信号の変化を示すタイミングチャートである。
【図６】本発明の実施の形態２におけるリセット信号発生部として採用されるカウンタ回路の構成例を示す図である。
【図７】本発明の実施の形態２に係る電力変換装置の制御部が、運転ログ情報を記録する際に実行される処理を示すフローチャートである。
【図８】制御部が正常の場合における、カウンタ回路の入出力信号の変化を示すタイミングチャートである。
【図９】制御部が暴走した場合における、カウンタ回路の入出力信号の変化を示すタイミングチャートである。
【図１０】本発明の実施の形態２の変形例に係る電力変換装置の制御部が、運転ログ情報を記録する際に実行される処理を示すフローチャートである。
【図１１】太陽光発電システムに用いられる一般的な電力変換装置の構成例を示す図である。
【符号の説明】
【０１０４】
１，１００  電力変換装置、１０，１１０  電力変換部、１２  制御部、１３  制御電源切替部、１４  主電源電力変換部、１５  補助電源電力変換部、１６  リセット信号発生部、１６Ａ  ＣＲ遅延回路、１６Ｂ  カウンタ回路、１７  不揮発性メモリ、２１  ＤＣ／ＤＣコンバータ、２２  ＤＣ／ＡＣインバータ、３２  切替信号線、３３  リセット信号線、１１１  開閉器、１１２  制御部、２１０，２１０ａ，２１０ｂ，２１０ｃ  太陽電池ストリング、２１１  商用電力系統（商用電源）、３０１  オープンドレインインバータ、３０２  電気抵抗、３０３  コンデンサ、３０４，５０２  インバータ、５０１  ４ビットカウンタＩＣ。
【図１】
0005093804.tif 000002
【図２】
0005093804.tif 000003
【図３】
0005093804.tif 000004
【図４】
0005093804.tif 000005
【図５】
0005093804.tif 000006
【図６】
0005093804.tif 000007
【図７】
0005093804.tif 000008
【図８】
0005093804.tif 000009
【図９】
0005093804.tif 000010
【図１０】
0005093804.tif 000011
【図１１】
0005093804.tif 000012